(57)【要約】      （修正有）【課題】踏切を横断する人の心にゆとりを持たせる為の安全標語入り横断幕と、注意を喚起して安全を確保する為の発光装置の配備と蛍光塗装を施した踏切遮断棒用安全標語指示横断幕を開発・提供する。【解決手段】耐候性テント生地等の防水型強力布製生地を踏切遮断棒Ｂの外径及び長さに適合し挿着可能な筒状に形成した挿着部と、筒状挿着部の下端部に所定幅と所定長さを有する矩形状の安全標語入り横断幕１６と、筒状挿着部と横断幕間に係止して設けた所定長さの透明ビニール製管内に所定間隔空けて配備して設けた複数の発光部を有する発光装置３から成り、且つ、該横断幕の筒状挿着部又は横断幕全体に所定長さの蛍光塗装Ｃを所定間隔空けた縞模様に施した事を特徴とするものである。【選択図】図４
0003142810.tif 000002
【実用新案登録請求の範囲】
【請求項１】
歩行者や運転者等、踏切を横断する人に、心にゆとりを持たせる為の安全標語を表記し、且つ、発光ダイオード等の発光装置を配備して注意を喚起する踏切遮断棒用横断幕であって、該横断幕（１）は耐候性テント生地等の防水型強力布製生地を踏切遮断棒（Ｂ）の外径（Ｄ）及び長さ（Ｌ１）に適合し挿着可能な筒状に形成した挿着部（１ａ）と、筒状挿着部（１ａ）の下端部に所定の幅（Ｘ）と所定長さ（Ｌ３）を有する矩形状の安全標語（Ｓ）入り横断幕（１ｂ）と、筒状挿着部（１ａ）と横断幕（１ｂ）間に係止して設けた所定長さ（Ｌ１）の透明ビニール製管（２）内に所定間隔（Ｐ）空けて配備して設けた複数の発光部（３ａ）を有する発光装置（３）から成り、且つ、該横断幕の筒状挿着部又は横断幕全体に所定長さ（Ｌ２）の蛍光塗装（Ｃ）を所定間隔（Ｐ）空けた縞模様に施した事を特徴とする踏切遮断棒用安全標語指示横断幕。
【考案の詳細な説明】
【技術分野】
【０００１】
この考案は、踏切遮断棒用安全標語指示横断幕に関するものである。
【背景技術】
【０００２】
従来の踏切用遮断機に使用されている棒は黄色と黒色の二色の縞模様の物が大半を占めており、長年に渡って見慣れているせいか、これが普通で何も感じないと云うのが正直な感想である。従って、本来踏切といえば非常に危険な場所であって、踏切を横断する人に対して危険を防止する為に注意を喚起し、且つ、イライラせずに列車が通過するまで平常心を保つ事が重要である。
【０００３】
しかし、現状の踏切用遮断機用の棒は目立ち難く、特に駅の近くに設けられた、開かずの踏切とも言える場所では、待ち時間が長くてイライラする事が予想される。従って、そうした交通量が多く、危険な踏切に設置して安全を確保する為に、良く目立ち、イライラが解消できる踏切遮断棒用安全標語指示横断幕の開発が求められている。
【０００４】
これまでに、考案され出願されている踏切安全遮断棒の特許文献を参考の為、紹介する。（特許文献１参照。）
【特許文献１】登録実用新案第３０６０１６９号参照。
【考案の開示】
【考案が解決しようとする課題】
【０００５】
そこで、上記課題を解決する為に、この考案は踏切を横断する人の心にゆとりを持たせる為の安全標語入り横断幕と、注意を喚起して安全を確保する為の発光装置の配備と蛍光塗装を施した踏切遮断棒用安全標語指示横断幕を開発・提供する事にある。
【課題を解決するための手段】
【０００６】
課題を解決するための手段として、耐候性テント生地等の防水型強力布製生地を踏切遮断棒の外径及び長さに適合し挿着可能な筒状に形成した挿着部と、筒状挿着部の下端部に所定幅と所定長さを有する矩形状の安全標語入り横断幕と、筒状挿着部と横断幕間に係止して設けた所定長さの透明ビニール製管内に所定間隔空けて配備して設けた複数の発光部を有する発光装置から成り、且つ、該横断幕の筒状挿着部又は横断幕全体に所定長さの蛍光塗装を所定間隔空けた縞模様に施した事を特徴とするものである。
【考案の効果】
【０００７】
この考案の効果として、耐候性テント生地等の防水型強力布製生地を踏切遮断棒の外径及び長さに適合し挿着可能な筒状に形成した挿着部と、筒状挿着部の下端部に所定幅と所定長さを有する矩形状の安全標語入り横断幕と、筒状挿着部と横断幕間に係止して設けた所定長さの透明ビニール製管内に所定間隔空けて配備して設けた複数の発光部を有する発光装置から成り、且つ、該横断幕の筒状挿着部又は横断幕全体に所定長さの蛍光塗装を所定間隔空けた縞模様に施した事で、踏切を横断する人の心にゆとりを持たせ、且つ、注意を喚起して危険を防止する等、極めて有益なる効果を奏するものである。
【考案を実施するための最良の形態】
【０００８】
この考案の最良の形態として、踏切遮断棒用安全標語指示横断幕の筒状挿着部は標準的な踏切遮断棒の外径寸法及び長さに適合した大きさに形成し、且つ、発光体を挿入配備する透明ビニール製管は発光装置が容易に嵌挿可能な大きさのものを選定し、且つ、蛍光塗装の色彩や縞模様の間隔も、良く目立ち誰もが一定の評価を下す最適なものにする事が重要である。
【実施例１】
【０００９】
そこで、この考案の一実施例を図１〜図３に基づいて詳述すると、歩行者や運転者等、踏切を横断する人に、心にゆとりを持たせる為の安全標語を表記し、且つ、発光ダイオード等の発光装置を配備して注意を喚起する踏切遮断棒用横断幕であって、該横断幕（１）は耐候性テント生地等の防水型強力布製生地を踏切遮断棒（Ｂ）の外径（Ｄ）及び長さ（Ｌ１）に適合し挿着可能な筒状に形成した挿着部（１ａ）と、筒状挿着部（１ａ）の下端部に所定幅（Ｘ）と所定長さ（Ｌ３）を有する矩形状の安全標語（Ｓ）入り横断幕（１ｂ）と、筒状挿着部（１ａ）と横断幕（１ｂ）間に係止して設けた所定長さ（Ｌ１）の透明ビニール製管（２）内に所定間隔（Ｐ）空けて配備して設けた複数の発光部（３ａ）を有する発光装置（３）から成り、且つ、該横断幕の筒状挿着部又は横断幕全体に所定長さ（Ｌ２）の蛍光塗装（Ｃ）を所定間隔（Ｐ）空けた縞模様に施した事を特徴とする踏切遮断棒用安全標語指示横断幕から構成される。
【００１０】
次に、この考案の詳細について説明すると、挿着部（１ａ）及び横断幕（１ｂ）部の材質は耐候性のテント生地を使用し、寸法形状は図１（Ａ）（Ｂ）及び図２（Ａ）（Ｂ）及び図３に示す様に挿着部（１ａ）は標準的な遮断棒（Ｂ）の大きさ（外径寸法）に適合し挿着可能な内径寸法と全長（Ｌ１）を有し、且つ、該挿着部（１ａ）の下端部に所定幅１００ｍｍ×所定長さ３０００ｍｍの矩形状の横断幕（１ｂ）を設け、且つ、該横断幕表面部に取り付ける場所や環境や時季に合わせた安全標語を表記したものである。
【００１１】
上記横断幕表面部に表記する安全標語の内容の一例を参考の為、下記に記す。
（１）今日も交通安全。家族で話して実行明るい家庭。
（２）あなたの少し［待つ心］の勇気が未来につながる。
（３）［横断禁止］あなたの安全祈ってます！
（４）［くぐりぬけ］もうやめよう家族や友が泣きますよ！
（５）お急ぎのところすみません。［横断禁止］しばらくお待ち下さい。
（６）［くぐりぬけ］誰も見てない。いいえ必ず電車が来ます。
（７）今日もあなたの交通安全祈ってます。○○商店街。
（８）［くぐりぬけ］まだ大丈夫と思う心に事故が待つ！
【００１２】
次に、蛍光塗装（Ｃ）について説明すると、図１（Ａ）（Ｂ）は踏切遮断棒用安全標語指示横断幕の挿着部（１ａ）のみに蛍光塗装（Ｃ）を施した場合を示し、図２（Ａ）（Ｂ）は踏切遮断棒用安全標語指示横断幕の挿着部（１ａ）と横断幕（１ｂ）部に蛍光塗装（Ｃ）を施した場合を示し、何れも蛍光塗装部分の長さ寸法（Ｌ２）・間隔（Ｐ）は２００ｍｍで、蛍光塗装色は良く目立つピンク色の蛍光塗料を使用している。
【００１３】
そして、挿着部（１ａ）と横断幕（１ｂ）部の間には、外径Φ２０ｍｍ×長さ５０００ｍｍの透明ビニールチューブ（２）を係止して設け、且つ、該透明ビニールチューブ（２）の中に蛍光塗装部に合わせて所定間隔（Ｐ）空けて設けた発光部（３ａ）を有する発光ダイオード等の発光装置（３）を挿着している。
【００１４】
図４は扇状開閉型遮断棒に挿着した時の実施例を示す正面図である。
【産業上の利用可能性】
【００１５】
この考案の踏切遮断棒用安全標語指示横断幕は、踏切を横断する人の心にゆとりを持たせ、且つ、注意を喚起して安全意識の向上に役立ち、踏切を横断する多くの人の安全・安心確保に寄与する為、産業上の利用可能性を有する。
【図面の簡単な説明】
【００１６】
【図１】この考案の一実施例を示し、筒状挿着部のみに蛍光塗装を施した時の踏切遮断棒用安全標語指示横断幕の正面図である。
【図２】この考案の一実施例を示し、筒状挿着部と横断幕部に蛍光塗装を施した時の踏切遮断棒用安全標語指示横断幕の正面図である。
【図３】この考案の一実施例を示し、側面視拡大詳細図である。
【図４】この考案の使用例を示し、開閉状態を示す正面図である。
【符号の説明】
【００１７】
１  横断幕
１ａ  挿着部
１ｂ  横断幕
２  透明ビニール製管
３  発光装置
３ａ  発光部
Ｂ  踏切遮断棒
Ｃ  蛍光塗装
Ｄ  外径（遮断棒）
Ｌ１  所定長さ
Ｌ２  所定長さ
Ｌ３  長さ（横断幕）
Ｐ  所定間隔
Ｓ  安全標語
Ｘ  所定幅
【図１】
0003142810.tif 000003
【図２】
0003142810.tif 000004
【図３】
0003142810.tif 000005
【図４】
0003142810.tif 000006